(57)【要約】【課題】  続紙付媒体１０が混在した媒体１０を搬送する媒体搬送機構において、続紙付媒体１０を繰り出す際に、ずれてジャムが発生することを防止し、事前に操作者による続紙付媒体の抜き取り或いは続紙だけの抜き取り作業を不要とする。【解決手段】  続紙の有無を近接センサや光学的センサ或いは厚さ検出センサにより検出する続紙検出センサを設け、続紙付媒体であるかを検出し、続紙付であった場合は、媒体押さえガイド１２により媒体１０を抑えるように制御して搬送するようにした。【選択図】      図６
2006160495.tif 000002
【特許請求の範囲】
【請求項１】
複数枚綴じられた媒体を検出する検出手段を設け、
前記検出手段により複数枚綴じられた媒体を検出したときは、媒体押さえガイドにより前記媒体を抑えながら搬送することを特徴とする媒体搬送機構。
【請求項２】
前記検出手段は、金属を検出可能な近接スイッチからなり、前記媒体の所定の位置に付けられた綴じ込み部材を検出するようにしたことを特徴とする請求項１記載の媒体搬送機構。
【請求項３】
前記紙検出手段は、光学的センサからなり、当該光学的センサにより取得した画像に基づき、前記媒体の所定の位置に付けられた綴じ込み部材を識別して判定することを特徴とする請求項１記載の媒体搬送機構。
【請求項４】
前記検出手段は、前記媒体の厚さを検知し複数枚綴じられた媒体を検出するようにしたことを特徴とする請求項１記載の媒体搬送機構。
【請求項５】
前記検出手段は、金属の検出、光学的検出、厚さ検出いずれか或いは全部を併用して複数枚綴じられた媒体を検出するようにしたことを特徴とする請求項１記載の媒体搬送機構。
【請求項６】
前記検出手段は、先に繰出される媒体により前記綴じ込み部材が覆われるときは、複数枚綴じられた媒体を検出しないようにしたことを特徴とする請求項１ないし請求項５いずれか記載の媒体搬送機構。
【請求項７】
前記媒体が、複数枚綴じられた媒体を検出したときは、前記媒体を分離する動作を停止するようにしたことを特徴とする請求項１ないし請求項６いずれか記載の媒体搬送機構。
【発明の詳細な説明】
【技術分野】
【０００１】
本発明は、続紙付用紙などが混在した媒体を搬送する媒体搬送機構に関するものである。
【背景技術】
【０００２】
近年、印刷や分類などの処理をする媒体として、病院等の保険医療機関や保険薬局が保険医療に要した費用を保険者(健康保険組合など)に請求する際に作成する診療報酬明細書（以下、「レセプト」という）がある。このレセプトは、保険医療機関等から日々提出されるものであり、その枚数は膨大である。
【０００３】
そして、このレセプトに基づき該当する保険者に請求するために、各レセプトには、保険者を識別するための識別コードを印刷するエリアを設けて印刷等し、この識別コードを光学的文字認識すなわちＯＣＲ（Ｏｐｔｉｃａｌ  Ｃｈａｒａｃｔｅｒ  Ｒｅａｄｅｒ）で読取り、自動的に分類するレセプト分類システムが開発され、すでに運用されている。（例えば、特許文献１参照。）。
【特許文献１】特開２００４−１６４３８１号公報
【発明の開示】
【発明が解決しようとする課題】
【０００４】
しかしながら、前記レセプトには、１枚の単票だけでなく、単票にホッチキスなどで１枚或いは数枚の続紙を綴じた続紙付レセプトが混在している。そして、当該続紙付レセプトをそのまま搬送した場合、単票と続紙が媒体繰り出し時にずれてジャムが発生するため、事前に操作者が続紙付媒体の抜き取り或いは続紙だけを抜き取る作業を行っていた。このため、抜き取りの手間の発生や抜き取り漏れの続紙付レセプトによりジャムが発生しこの対応が必要となり、レセプト分類処理の効率が低下する要因となっていた。
【課題を解決するための手段】
【０００５】
本発明は、前述の課題を解決するため次の構成を採用する。すなわち、複数枚綴じられた媒体を検出する検出手段を設け、前記検出手段により複数枚綴じられた媒体を検出したときは、媒体押さえガイドにより前記媒体を抑えながら搬送するようにした。
【発明の効果】
【０００６】
本発明の媒体搬送機構によれば、複数枚綴じられた媒体を検出する検出手段を設け、前記検出手段により複数枚綴じられた媒体を検出したときは、媒体押さえガイドにより前記媒体を抑えながら搬送するようにしたので、複数枚綴じられた媒体を搬送してもジャムが発生することがない。その結果、操作者が、複数枚綴じられた媒体を抜き取ったり、複数枚綴じられた媒体うち一部の媒体のみを抜き取ったりする作業をなくすことができる。
【発明を実施するための最良の形態】
【０００７】
以下、本発明に係る実施の形態例を、図面を用いて説明する。なお図面に共通する要素には同一の符号を付す。また、以下、レセプトとして処理する媒体としては、用紙以外のフィルム状のものであってもよいし、その他のものであってよいが、便宜上、一般的な用紙として以下記載する。
【実施例】
【０００８】
実施例の媒体搬送機構は、続紙検出センサを設け、続紙付レセプトであるかどうかを判定し、その判定結果に基づき媒体押さえガイドの位置を制御して搬送するようにしたものである。
【０００９】
（構成）
図１は、レセプトの単票の例であり、通常、レセプトの単票は、Ａ４サイズの１枚の用紙である。そして、用紙の下欄に保険者を識別するＯＣＲ用の文字が印刷されている。
【００１０】
図２は続紙付レセプトの例であり、図２（ａ）は単票と同様の１枚目のレセプトの例であり、図２（ｂ）は続紙の例、図２（ｃ）は前記続紙がレセプトにホッチキス２０で綴じられている状態を示す。なお、図２（ｂ）の続紙は１枚の場合もあるいし、２枚以上の場合もある。
【００１１】
図３、図４は、本発明の媒体搬送機構の主な構成を示す図であり、図３が上面図、図４が側面図である。
【００１２】
同図に示したように、媒体搬送機構は、媒体を供給する供給ユニット１と、媒体を媒体処理装置に搬送する駆動ユニット２から構成される。
【００１３】
そして、供給ユニット１には、媒体１０をセットする台としての機能および媒体繰り出しを補助する機能を有し矢印Ａ方向にバネ等で付勢されたバックアッププレート６と、バックアッププレート６により付勢された媒体１０を媒体処理装置に繰り出す媒体繰出ローラ３が配置されている。
【００１４】
そして、駆動ユニット２には、媒体繰出ローラ３により繰り出された媒体１０をフィードするためのフィードローラ４、フィードローラ４と回転速度や方向を変え媒体１０の重走を防止するための分離ローラ５、上下のローラ対で媒体１０を挟み込み搬送する搬送ローラ対７が図のように配置されている。
【００１５】
図５、図６は、実施例の媒体搬送機構の詳細な構成図である。同図に示すように、実施例の媒体搬送機構は、ホッチキス２０などの有無の検出により続紙媒体があるかどうかの判定を行うための続紙検出センサ１１と、媒体１０を繰り出す際に、適宜、媒体１０を押さえる機能を有する続紙押さえガイド部１２と、媒体１０の走行方向の両端を検出する光学的センサであるセンサＡ１４、センサＢ１５からなり、図のように配置されている。
【００１６】
なお、前記続紙検出センサ１１は、高周波誘導等によりホッチキス２０など金属を検出する近接スイッチからなり、前記続紙押さえガイド部１２は、弾力性を有したシート状の押さえであり、駆動ユニット２上に取り付けられた続紙押さえ駆動部１３により上下に移動できるようになっている。
【００１７】
前記供給ユニット１側に配置したセンサＡ（１４）と駆動ユニット２側に配置したセンサＢ（１５）は、搬送路近傍に配置され、センサＡ（１４）とセンサＢ（１５）の間隔は、媒体１０の走行方向の幅、すなわちＡ４媒体の場合では、横方向の幅である２１０ｍｍの両端の検出ができるようにするため、本例では２００ｍｍ程度の間隔としている。
【００１８】
勿論、Ａ４縦方向にセットすることを考慮し、適宜、Ａ４縦方向の両端を検出できる間隔とすることができるようにするとよい。
【００１９】
（動作）
以上の構成により、実施例の媒体搬送機構は、以下のように動作する。この動作を、前述図１ないし図６、および図７の媒体搬送機構のタイムチャート並びに媒体搬送の状態ごとの媒体の位置、センサ信号等の出力を示す図８〜図１６を用いて、以下に説明する。
【００２０】
なお、以下の説明では、バックアッププレート６にセットされた媒体１０が、１枚目が単票、２枚目が続紙、３枚目も続紙であるとしている。  
【００２１】
また、図７の媒体搬送機構のタイムチャートでは、状態ａ〜ｉがそれぞれ図８〜図１６の状態に対応するものであり、媒体１０が搬送される特徴的状態を示すものである。そして、センサＡ信号は、前記センサＡ（１４）の出力を表し、センサＢ信号は、前記センサＢ（１５）の出力を表し、センサＡ信号およびセンサＢ信号がＯＮのときは媒体１０が各センサにより検出された状態を表しＯＦＦのときは媒体１０がない状態と表している。
【００２２】
そして、続紙センサ信号は、前記続紙検出センサ１１の出力を表すが、センサＡ信号がＯＮのときは、図中ハッチのように続紙検出センサ１１の出力を無効とするようにしている。
【００２３】
前述のように、センサＡ信号がＯＮのとき続紙検出結果を無効とする理由は、センサＡ信号がＯＮ状態のときは、次に繰り出される媒体１０が続紙付レセプトでホッチキス２０にて綴じられていたとしても、現在繰出中の媒体１０により左上部分が隠されているはずであり、ノイズ等による続紙の誤検出を防止するためである。
【００２４】
また、媒体押さえガイド信号は、続紙押さえ駆動部１３を駆動し続紙押さえガイド１２を上下に移動することを表す信号であり、ＯＮのときは、媒体押さえ駆動部１３により媒体押さえガイド１２を下降させて媒体１０を押さえ、ＯＦＦのときは、媒体押さえガイド１２を上昇させて媒体１０を押さえないようにする。
【００２５】
この媒体押さえガイド信号は、後述のように、先に繰り出された媒体１０が繰り出しを完了しかつ続く媒体１０が続紙付レセプトであることが検出されたときに媒体押さえガイド１２を下降させるために、センサＡ（１４）がＯＦＦでかつ続紙を検出し続紙検出センサ１１がＯＮとなった場合にＯＮとし、センサＢ（１５）が媒体１０を検出したときにＯＦＦとしている。
【００２６】
次に、各状態の各部動作について図７のタイムチャートおよび図８ないし図１６を用いて説明する。
【００２７】
まず、状態ａ（図８）は、媒体１０がバックアッププレート６にセットされた状態である。媒体１０を検出するセンサＡ（１４）がＯＦＦのため、続紙検出センサ１１が有効であるが、１枚目の媒体１０は単票のため、ホッチキス２０などが検出されないので続紙検出センサ１１の出力がＯＦＦとなり、このため媒体押さえガイド信号もＯＦＦとなり、媒体押さえガイド１２は上昇したままとなる。
【００２８】
状態ｂ（図９）は、１枚目の媒体１０（単票）が繰り出され、センサＡ（１４）がＯＮとなるが、媒体１０の先頭はセンサＢ１５に至っていないのでセンサＢ信号はＯＦＦの状態である。
【００２９】
状態ｃ（図１０）は、１枚目の媒体１０（単票）が繰り出されセンサＢに至った状態で、センサＢ（１５）の媒体検出により、繰り出された１枚目の媒体が搬送ローラ７へ搬送されたと判断できるので、媒体押さえガイド信号をＯＦＦし媒体押さえガイド１２を上昇させる。この場合は、状態ａｂにおいてすでに媒体押さえガイド信号はＯＦＦの状態であるので、特に媒体押さえガイド信号に変化はなく、媒体押さえガイド１２も上昇した位置のままである。
【００３０】
状態ｄ（図１１）は、１枚目の媒体１０（単票）がさらに搬送され、センサＡ（１４）が媒体１０の終端通過によりＯＦＦになった状態である。センサＡ（１４）がＯＦＦすることにより、続紙検出センサ１１が有効となり、２枚目の媒体１０が続紙付レセプトであるので続紙検出センサ１１がホッチキス２０等を検出し続紙センサ信号がＯＮとなる。これにより、媒体押さえガイド信号がＯＮとなり媒体押さえガイド１２を下降させ、続紙付媒体１０を押さえる。
【００３１】
状態ｅ（図１２）は、まだ１枚目の媒体１０（単票）の終端が検出されているので、２枚目の続紙付媒体１０の繰り出しを開始せず、１枚目の媒体１０（単票）の終端が通過するのを待っている状態である。このように制御することにより所定の間隔を確保して２枚目の媒体１０を繰り出すことができる。
【００３２】
状態ｆ（図１３）は、２枚目の続紙付媒体１０が媒体押さえガイド１２により押さえられて媒体１０およびその続紙間に摩擦が生じ、ずれが発生することなく繰り出され、センサＡ（１４）が媒体１０を検出した状態である。
【００３３】
なお、図示していないが、この繰り出しの際、媒体１０の重走を防止するための分離ローラ５は、搬送する媒体１０が続紙付レセプトであるので分離のための動作は行わないようにするのがよい。
【００３４】
状態ｇ（図１４）は、２枚目の続紙付媒体１０が繰り出され、センサＢ（１５）に至った状態である。センサＢ（１５）が媒体１０を検出することにより、繰り出された媒体１０はセンサＢ（１５）の前段に位置する搬送ローラ７へ搬送したと判断し、媒体押さえガイド信号をＯＦＦし、媒体押さえガイド１２を上昇させる。
【００３５】
状態ｈ（図１５）は、２枚目の続紙付媒体１０がさらに搬送され、センサＡ（１４）が２枚目の続紙付媒体１０の終端通過によりセンサＡ信号がＯＦＦになった状態である。センサＡ信号がＯＦＦすることにより、続紙検出センサ１１が有効となり、３枚目の媒体１０が続紙付媒体であるのでホッチキス２０等が検出され続紙検出センサ信号がＯＮとなる。これにより、媒体押さえガイド信号をＯＮとし、媒体押さえガイド１２を下降し、３枚目の続紙付媒体１０を押さえる。
【００３６】
状態ｉ（図１６）は、まだ２枚目の媒体１０（単票）の終端が検出されているので、３枚目の続紙付媒体１０の繰り出しを開始せず、２枚目の媒体１０（単票）の終端が通過するのを待っている状態である。このように制御することにより、状態ｅ（図１２）と同様、所定の間隔を確保して３枚目の媒体を繰り出すことができる。
【００３７】
なお、以上の実施例の説明では、続紙の有無の検出方法として、高周波誘導等による近接スイッチを用いた例を示したが、ホッチキス２０等からの反射光を検出するようにしてもよいし、ホッチキス２０等の画像をイメージスキャナ等により取得しホッチキス等の画像を識別して検出するようにしてもよい。
【００３８】
或いは、ホッチキス２０等の部分の厚さや、綴じられた媒体１０の厚さを厚さ検出センサにより検出し、所定の厚さ以上のときは、続紙があると判定するようにしてもよい。
【００３９】
（実施例の効果）
以上詳細に述べたように、実施例の媒体搬送機構によれば、続紙の有無を検出する続紙検出センサを設け、続紙付媒体であるかを検出し媒体押さえガイドの位置を制御して搬送するようにしたので、続紙付媒体を搬送してもジャムが発生することがない。従って、操作者が、事前に続紙付媒体１０を抜き取ったり、続紙のみを抜き取ったりする作業をなくすことができる。
【産業上の利用可能性】
【００４０】
以上詳細に述べたように、本発明は、レセプトや伝票、或いははがき付の注文書などの続紙が綴じられる可能性のある媒体を搬送する媒体搬送機構に広く用いることができる。
【図面の簡単な説明】
【００４１】
【図１】レセプト単票を説明する図である。
【図２】レセプトおよび続紙付レセプトを説明する図である。
【図３】媒体搬送機構の構成図（上面図）である。
【図４】媒体搬送機構の構成図（側面図）である。
【図５】実施例１の媒体搬送機構（上面図）である。
【図６】実施例の媒体搬送機構（側面図）である。
【図７】実施例の媒体搬送機構のタイムチャートである。
【図８】実施例の媒体搬送機構の各状態を説明する図（状態ａ）である。
【図９】実施例の媒体搬送機構の各状態を説明する図（状態ｂ）である。
【図１０】実施例の媒体搬送機構の各状態を説明する図（状態ｃ）である。
【図１１】実施例の媒体搬送機構の各状態を説明する図（状態ｄ）である。
【図１２】実施例の媒体搬送機構の各状態を説明する図（状態ｅ）である。
【図１３】実施例の媒体搬送機構の各状態を説明する図（状態ｆ）である。
【図１４】実施例の媒体搬送機構の各状態を説明する図（状態ｇ）である。
【図１５】実施例の媒体搬送機構の各状態を説明する図（状態ｈ）である。
【図１６】実施例の媒体搬送機構の各状態を説明する図（状態ｉ）である。
【符号の説明】
【００４２】
３    媒体繰出ローラ
４    フィードローラ
５    分離ローラ
７    搬送ローラ対
１０  媒体
１１  続紙検出センサ
１２  続紙押さえガイド
１３  続紙押さえ駆動部
１４  センサＡ
１５  センサＢ
２０  ホッチキス
【図１】
2006160495.tif 000003
【図２】
2006160495.tif 000004
【図３】
2006160495.tif 000005
【図４】
2006160495.tif 000006
【図５】
2006160495.tif 000007
【図６】
2006160495.tif 000008
【図７】
2006160495.tif 000009
【図８】
2006160495.tif 000010
【図９】
2006160495.tif 000011
【図１０】
2006160495.tif 000012
【図１１】
2006160495.tif 000013
【図１２】
2006160495.tif 000014
【図１３】
2006160495.tif 000015
【図１４】
2006160495.tif 000016
【図１５】
2006160495.tif 000017
【図１６】
2006160495.tif 000018